(57)【要約】【課題】無風状態を求められる自動化された、クリーニング工場での空気のゆれは致命的であるが、無風状態での冷房装置等は過去になかった。また通常室外機と称する冷媒を冷却するのに空気を利用して冷却をすることが殆どであるため、周辺の空気の温度が上昇することが発生している。【解決手段】建物内における冷房に無風状態で室内を冷却する冷媒配管と冷却フィンを持ち室内の天井近くに冷媒配管や平板冷却器を必要数張り巡らし冷気の自然落下で室内を冷やす冷却装置を建物に取り付けることで解決できた。また冷媒を冷却するのに地上又は地下に設置した水槽の中に地下水を汲み上げ、凝縮器を水槽の中に水没させて、熱変換して高温となった冷却水を汲み上げた地下水脈と地層の異なる地下水脈に加圧ポンプを用いて戻す事で周辺空気の温度上昇が無くなる。【選択図】図１
2015148439.tif 000002
【特許請求の範囲】
【請求項１】
洗濯物にバーコードのタグを取り付けてコンピューター管理するクリーニング工場において建物内の空調を無風状態で行なうため、空調対象の仕切られた空間上部に吸熱手段を設け、吸熱手段は高熱伝導率の金属平板により高熱伝導率の冷媒配管を挟んだ金属平板吸熱材であり、金属平板吸熱材下部に結露水受け手段を備え、前記空調対象の空間以外に排熱手段を設けて、金属平板吸熱材の天井面または底面に前記冷媒配管から冷気が剥離する程度に強さをコントロールされたわずかな風を吹きつける開口部を有する空気配管を設けて、剥離された冷気の自然降下により空調対象空間の冷房を行うようにしたことを特徴とする空調装置で、建物の内部に水平方向の風が生じない無風状態での空調を可能にすることを特徴とする空調装置。
【請求項２】
吸熱手段は、金属平板吸熱材、結露水受け手段及び空気配管をユニット化した平板吸熱装置であり、平板吸熱装置は他の平板吸熱装置との連結口を有した部材で覆われていることを特徴とする、請求項１に記載の空調装置。
【請求項３】
地下又は地上に設置し地下水又は地上水を貯水した水槽の水に浸かるように排熱手段である凝縮器を複数台水没させたことを特徴とする請求項１又は２に記載の空調装置。
【発明の詳細な説明】
【技術分野】
【０００１】
本発明は、クリーニング工場における無風状態下での空調方法とそれに用いる装置に関する技術である。
【背景技術】
【０００２】
洗濯物にバーコードのタグを取り付けてコンピューター管理するクリーニング工場において、室内が無風状態にならないといけない。建物内の空調を無風状態で行うことには困難を極めている。またその他、埃が舞い上がることを嫌う研究施設なども同様に空調を無風状態にする必要がある。
【０００３】
通常一般に使用されている体育館等の大型施設における室内の冷房を行なう冷房装置としては、冷媒としてガス又は水を通す金属配管にフィンを接触させ吸熱面積を増やしたフィンを持つ吸熱器に、ファン又はブローによる風量が制御された風をあて、熱変換で冷却された冷風によって運ばれた冷気で室内の温度を下げるようにしており、空冷型や水冷型ヒートポンプ空調機が一般的である。
【０００４】
一般に、室内機に吸熱器とファンを持ち、室外には通常室外機と称する圧縮機と凝縮器や冷却用ファンを持ち、冷媒を介して室内の温度を調整する空調装置で室内側吸熱器の冷気を風で運ぶという手法は、大きな建物であればあるほど遠方に風を送るために強力な風を使う必要があり無風状態での冷房には不向きである、これを実現するため様々な発明が提案されているが有効な方法が無い状態で今日に至っている。また、特開平１０−３００１３７号ではアルミ板を利用する例も見られるが実用に至っていない。特開２０００−２８１６７号にベンチュリーを設けて大きな建物において空気移動を行なわせる構造も提案されているが、本発明のような無風状態下での冷房を可能にするものではない。
【先行技術文献】
【特許文献】
【０００５】
【特許文献１】特開２０００−２８１６７号
【特許文献２】特開平１０−３００１３７号
【特許文献３】特開平８−２９６２６６号
【特許文献４】特開２００６−２３４２２９号
【発明の概要】
【発明が解決しようとする課題】
【０００６】
本発明は、建物内における無風状態での空調を可能にする方法とそのための装置を提供しようとするものである。ここにいう無風状態とは建物の内部に水平方向の風が生じないことである。（空気が水平方向に強く移動する）さらに本発明は、この空調装置の設置作業も容易にしようとするものである。
【課題を解決するための手段】
【０００７】
本発明は空調対象１の仕切られた空間１ａ上部に吸熱手段２を設け、吸熱手段２は冷媒配管３及びその下部に結露水受け手段５を備え、前記空間１ａ以外に排熱手段１０を設けて、吸熱手段２が設けられた空間１ａ上部冷気の自然降下により冷房を行なうようにした建物内における無風状態下での空調方法である。
具体的な装置としては、空調対象１の仕切られた空間１ａ上部に吸熱手段２を設け、吸熱手段２は冷媒配管３及びその下部に結露水受け手段５を備え、前記空間１ａ以外に排熱手段１０を設け、吸熱手段２はフィン４ａを有した部材で冷媒配管３の外周が被覆されていることを特徴とする空調装置である。
【０００８】
本発明者は、冷気は暖気より比重が重く下に降りるという空気の沈下(降下)作用による冷房を行うことに着目した。そのためには、冷媒を通す冷媒配管３にらせん状に巻きつけたフィン４ａを持つフィン付き冷媒配管４を必要に応じて天井近くに必要数設置し、冷気は自然と下に降りる作用を利用して冷房を行なうこととした。
すなわち、空調対象１の仕切られた空間１ａ上部に吸熱手段２を設け、吸熱手段２は冷媒配管３及びその下部に結露水受け手段５を備え、前記空間１ａ以外に排熱手段１０を設けて、吸熱手段２が設けられた空間１ａ上部冷気の自然降下により冷房を行なうようにした建物内における無風状態下での無風空調方法とそれに用いる装置である。
【０００９】
冷気の自然沈下による冷房を行なうが、より大きな熱変換を行なうようにするためフィン付き冷媒配管４の周囲全方向のいずれかに、空気配管６を設け直線又は曲線に伸びるフィン付き冷媒配管４の下方又は横や上部など周囲いずれかの方向からフィン付き冷媒配管４と平行に設置した空気配管６の上部、又はフィン付き冷媒配管４に風が当たる方向に合わせてスリット６ａや無数の穴６ｂを開けて、風がフィン４ａにあたる方向に取り付けて開けた穴６ｂからフィン付き冷媒配管４から冷気が剥離する程度のわずかの風をフィン４ａに向けて吹き付ける。このとき床上から無風状態が必要となる高さまで無風状態に影響しないようにフィン４ａに当てる強さをコントロールして空気を吹きつける。
【００１０】
上記の空気配管６の材質は加工のしやすい塩化ビニル樹脂でも金属でもよく、スリット６ａの代わりにフィン付き冷媒配管４のフィン４ａのピッチにあわせて小さな穴６ｂを風がフィン４ａにあたるか、又はフィン４ａとフィン４ａの間を通過する様にすることで、熱変換がより大きな値となる。この場合の空気を通す空気配管６の形状は丸でも三角でも多角形でもよい。この場合、穴６ｂの製作には数ミリ幅のスリット６ａを空気配管６と平行に開口してアルミ箔やアルミテープもしくは紙テープや布などの粘着性を持つテープでスリット６ａを部分的に塞ぎ、必要な大きさの穴を設けることで簡単に穴６ｂを作ることもできる。
【００１１】
また、天井付近に設置するフィン付き冷媒配管４を数本で一組としてフィン付き冷媒配管４の下部に空気配管６と結露水を受けるドレンパン５ａをセットして枠７ａに収め、一つの集合吸熱ユニット７とし、何台も集合吸熱ユニット７を連結可能とする。そのためフィン付き冷媒配管連結口７ｂと空気配管連結口７ｃ及びドレンパン連結口７ｄを集合吸熱ユニット７に設ける事で大きな建物の冷房の施工が簡単となる。更にフィン付き冷媒配管４の代わりに高熱伝導率の金属平板で挟んだ高熱伝導率の冷媒配管３を金属平板吸熱材８ｃとして冷媒の入り口と出口を連結できるように配置し、広さに応じた枚数を連結して吸熱手段２とすることもできる。高熱伝導率とは鉄より熱伝導率が高いことをいう。このとき水平に設置をすると結露水が床上に落下する可能性があるので結露水の落下防止のために金属平板吸熱材８ｃの取り付けは結露水が金属面を伝って流れてくるように傾斜８ａが付くように取り付けて、金属平板吸熱材８ｃの結露水が集合する最下部にドレンパン５ａを設ける。この場合の空気配管６は金属平板吸熱材８ｃの天井面に取り付けてもよく底面に取り付けてもよく金属平板吸熱材８ｃの金属平板は浪板状にする事で吸熱面積が増え冷却効率が上がる。このとき金属平板吸熱材８ｃを平板吸熱装置８とし空気配管６やドレンパン５ａを組み込みユニット化する事で必要数を連結させることが簡単な施工で出来ることから施工時間の短縮や特別な技術を要しないで施工ができる。このユニット化することは一つの建物内に圧縮機１０ａの能力によって数組の空調装置を設置する事で大きな建物内を冷房することが可能となる、このとき金属平板吸熱材８ｃで挟んだ冷媒配管３以外の隙間には高熱伝導率充填材８ｂを注入する事でより高効率の熱変換が行なえる。
【００１２】
この装置を冷媒で室内を冷房するときは、冷却された冷媒を室内の暖気と熱交換した後、圧縮機１０ａに戻して圧縮機１０ａで圧縮された冷媒は高温になっているので冷媒を冷却する方法として凝縮器１０ｂや圧縮機１０ａと送風用ファンが通常室外機に一体化されていて高温となった冷媒を凝縮器１０ｂにファンで風をあてて冷やす方法であるが、室外機と分離してファンは撤去して圧縮機１０ａと凝縮器１０ｂを別々にして、凝縮器１０ｂを地下又は地上に設置した水槽２０に地下水又は地上水を貯水し、水槽２０にためた水に浸かるように凝縮器１０ｂを水没させる。このとき大型施設では複数台の凝縮器１０ｂを冷却する必要があるためこれらの凝縮器１０ｂを一度に地下又は地上に設置した水槽２０内に水没させて冷やす事で高温になった冷媒を効率よく冷却することができる。また空冷式で発生する高温の風で周辺の空気を温暖化することを防ぐことが出来、暖められた温水は利用度があれば温水プールや、シャワーなどにも利用でき、クリーニング工場などではスチームを発生させるために重油などのボイラーを使用しているが水温が高い熱変換した後の水を利用する事でコストの削減も図れる。
水槽２０内で凝縮器１０ｂを冷却する方法は、特開平８−２９６２６６でも見られるが、この方法では複数台の凝縮器１０ｂを水槽２０内で冷却させることは不可能である。
【００１３】
この場合、通常銅の冷媒配管３にアルミニュームの吸熱補助材を取り付けているが、水中に長期にわたり浸かることになるので水没する部分は金又は銀等の劣化を防ぎ高熱伝導率の物質でメッキ又は、高熱伝導率の耐熱、耐酸化物質の塗布などを施し金属の酸化による劣化と熱伝導率の低下を防止する措置をしたほうが良い。
【００１４】
次に、分離した圧縮機１０ａは必要台数まとめて圧縮機１０ａを圧縮機室３０に収納し運転中は圧縮機１０ａも高温となるために圧縮機室３０に圧縮機室用室内機１０ｃを取り付ける。この場合の圧縮機室用室内機１０ｃは一般的な吸熱器とファンがセットされた室内機で風による冷却を行ない圧縮機室用凝縮器１０ｅは他の凝縮器１０ｂと同じ水槽２０で冷却を行なう。
【００１５】
地下水脈を利用するとき、概ね数メートル乃至数百メートルから地下水をくみ上げて地上又は地下の水槽２０に貯水された水を利用し、流動はポンプ又は自然対流により、熱変換された温水が一定の温度になると別に設けた三方弁４１と貯湯タンク４０に必要量を貯湯し、シャワーや風呂に利用することが出来る。温水の利用度が無いか、もしくは貯湯タンク４０が満水になった残りは再度地下に戻すが、このときに給水側の地下に埋設する地下水供給用配管２６ａと地下に戻す地下水戻り用配管２７ａの深さは汲み上げる地下水脈Ａ２４と異なる地下の地下水脈Ｂ２５に戻す。水脈が違った水脈に戻すことで同じ水脈でループが出来ないようにすることが出来、水脈によっては地上に噴出する圧力が地下水脈にある場合があるため、確実に地下に戻すことが必要なので地下水戻り用加圧ポンプ２７ｂを設ける事で強制的に地下に戻すことが出来る。この思考は、特開２００６−２３４２２９にも見られるが地下水源を利用して冷却して冷却後の高温になった水の処理についてはただ単純に元の地下水源に戻すのみの記載である。これにより空気を全く利用せずに複数台の凝縮器１０ｂを同時に冷却できるので地上の温度上昇を防ぐことができ、地下水を汲み上げる事による地盤沈下を防止することもできる。この地下に戻す方法はやむをえない場合は一定の距離を隔てた同じ水脈に戻すことも可能である。
【００１６】
また凝縮器１０ｂを複数台水槽２０に完全に水没するように設置し地下水で冷却する構造と方法は大型ビルや風を使用して冷気や暖気をファンで飛ばして行なう室外機にも利用でき、都会のヒートアイランド現象を防ぐことが出来ると同時に、通常の圧縮機と凝縮器やファンを持ついわゆる室外機と称される熱変換機に三方弁を設け熱風が出る夏場は地下水で冷却し暖房時の冬場はファンを用いた空冷にする事で冷気を地上に戻すことができ温暖化の防止に役立つ、もちろん地下水のみで熱変換する方法が、地下水は温度が一定の水温であるため省エネにつながり炭酸ガス排出の節減にも貢献できる。また地下水を使用する事で凝縮器の冷却温度が一定となり平均気温が４０度を超える国や地域でも効率よく冷房を行なうことができる。
【００１７】
本発明は、低温冷媒で冷却されたフィン付き冷媒配管４や金属平板吸熱材８ｃをそれぞれの吸熱装置を室内で熱変換するとき室内は無風状態で冷房するために必要最小限の風をフィン４ａのすぐ近くからスリット６ａ又は小口径の穴６ｂを介して噴出させ、空気を一旦上部又は周辺に吹きつけたフィン付き冷媒配管４や金属平板吸熱材８ｃで冷却した後、冷気が自然落下による無風状態の冷房装置が出来る。
さらに風量の均一化を図るために、穴６ｂの大きさは風を送る手前方向は小さく、先端になるほど大きくすることで解決出来る。
【００１８】
この場合、冷気を熱変換する時に結露水が発生するが、ドレンパン５ａをフィン付き冷媒配管４と空気配管６の真下や、金属平板吸熱材８ｃの最下部に配置しドレンパン５ａが発生させる結露水を防止するためにドレンパン５ａの内側又は外側にはゴムやウレタン類の化学物質や天然の結露防止材５ｂを取り付けることで解決できる。ドレンパン５ａは市販の雨樋等でも代用が出来る。
【００１９】
本発明の空気を通す空気配管６はフィン付き冷媒配管４とドレンパン５ａの間に設置し風の方向が変わらないように空気配管固定具６ｃを空気配管６に取り付けることで解決できた。この空気配管６の風が噴出す始点は空気配管６を数本に分割することでスリット６ａの始点の位置が数箇所に分散させることで風量の均一化を図ることが容易になる。
【００２０】
空調装置の圧縮機１０ａと凝縮器１０ｂやファンは撤去し圧縮機１０ａを一つの部屋に収納する。圧縮機室３０の圧縮機１０ａは高温となるため圧縮機１０ａを冷却するための圧縮機室用室内機１０ｃを配置し、圧縮機室３０を冷房する圧縮機室用凝縮器１０ｅは建物内を冷房する凝縮器１０ｂと同じ水槽２０で冷却する事で、室外機や室内機の冷房装置全体のいずれからも高温度の空気が出ることがなく周辺の気象温暖化の防止と地下水で冷却する事で凝縮器１０ｂの熱変換が高効率化されるので消費電力も少なくなる。
【発明の効果】
【００２１】
本発明によって、洗濯物にバーコードのタグを取り付けてコンピューター管理するクリーニング工場において、室内を無風状態にできるのでコンピューター管理が可能になった。その他、埃が舞い上がることを嫌う研究施設なども同様に空調を無風状態で行うことができるようになった。
【００２２】
本発明でフィン付き冷媒配管４、ドレンパン５ａ、結露防止材５ｂ、空気配管６等を集合吸熱ユニット７に、また金属平板吸熱材８ｃ、ドレンパン５ａ、空気配管６、高熱伝導率充填材８ｂ等を平板吸熱装置８としてユニット化することによって、施工能率や空調効率等を高め、広さに応じた施工面積の大小に容易に適応可能となった。
【００２３】
通常室外機と称する冷媒を冷却するのに空気を利用して冷却をすることが殆どであるため、周辺の空気の温度が上昇していたが、特に大型施設では複数台の凝縮器１０ｂを冷却する必要があるためこれらの凝縮器１０ｂを一度に地下又は地上に設置した水槽２０内に貯水した地下水に水没させて冷やす事で高温になった冷媒を効率よく冷却することができて、ヒートアイランド現象を防ぐなど環境に好適な効果がある。
【００２４】
通常室内機や室外機と称する冷媒を冷却して空調対象空間１aを冷却するとき室内温度センサー５１や外気温温度センサー５２などで温度管理をしている。本発明の吸熱手段２と圧縮機１０a及び凝縮器１０ｂを分離して設置する空調対象空間１aや室外の温度によって圧縮機１０aの出力制御手段や空気配管６に送る空気の流量制御手段、また水槽２０内の水の温度を管理する温度センサー５３などの信号で空調装置全体の電気制御手段５０を温度管理が出来ている圧縮機室３０に収納する事で外気温や埃などによる影響をなくすことが出来る。
【図面の簡単な説明】
【００２５】
【図１】本発明の無風空調方法に用いる装置の全体図である。
【図２】本発明の吸熱手段の構成を示す断面図である。
【図３】本発明のフィン付き冷媒配管の構成を示す側面図である。
【図４】本発明の空気配管の開口部を示す斜視図である。
【図５】本発明の空気配管の開口部の別の実施形態を示す斜視図である。
【図６】本発明の吸熱手段を空調対象に設置した状態を示す断面図である。
【図７】本発明の吸熱手段に用いる集合吸熱ユニットの構成を示す斜視図である。
【図８】本発明の吸熱手段を集合吸熱ユニットの連結する部分の斜視図である。
【図９】本発明の吸熱手段を集合吸熱ユニットで構成した場合の斜視図である。
【図１０】本発明の吸熱手段を集合吸熱ユニットで構成した場合の断面図である。
【図１１】本発明の吸熱手段を金属平板吸熱材で構成した場合の斜視図である。
【図１２】本発明の吸熱手段を平板吸熱装置で構成した場合の断面図である。
【図１３】銅製の冷媒配管にフィンを付けて実施した場合の温度変化を示すグラフである。
【図１４】銅製の冷媒配管にフィンを付けて実施した場合の煙により無風状態を確認した写真である。
【図１５】ステンレス製の冷媒配管にフィンを付けて実施した場合の温度変化を示すグラフである。
【発明を実施するための形態】
【００２６】
以下図面に基づき本発明の実施の形態を詳細に説明する。
図１は本発明の無風空調方法に用いる装置の全体図である。
この例にみられるように、本発明は無風状態の空調対象１の仕切られた空間１ａの上部に吸熱手段２を設け、吸熱手段２は冷媒配管３及びその下部に結露水受け手段５を備え、前記空間１ａ以外の場所に排熱手段１０を設けて、吸熱手段２が設けられた空間１ａ上部の冷気の自然降下によりバトミントンのような風を好まない空間１ｂの冷房を行なうようにしている。これにより建物内における無風状態下での空調を可能にした方法としたのである。
【００２７】
空調装置はしたがって空調対象１の仕切られた空間１ａの吸熱手段２が図２にみられるように冷媒配管３及びその下部に結露水受け手段５としてドレンパン５ａを備えている。この空間１ａ以外に排熱手段１０が凝縮器１０ｂ、圧縮機１０ａとして設けられている。吸熱手段２は図３にみられるようにフィン４ａを有した部材で冷媒が通過する冷媒配管３の外周が被覆されていることを特徴とする。
【００２８】
吸熱手段２には、冷媒配管３に向かって開口部を有する空気配管６が、冷媒配管３と結露水受け手段５としてのドレンパン５ａとの間に設けられている。
吸熱手段２は、ドレンパン５ａの上方にフィン付き冷媒配管４と空気配管６からなる集合吸熱ユニット７を複数設け、他の集合吸熱ユニット７とのフィン付き冷媒配管連結口７ｂ、空気配管連結口７ｃ及びドレンパン連結口７ｄを有した枠７ａで覆う構造がよい。
吸熱手段２は、高熱伝導率の金属平板内（金属枠でもよい）に冷媒配管３を敷設した金属平板吸熱材８ｃの下部にドレンパン５ａを設けて空調装置の施工領域をカバーするだけ必要単位数用いるようにする。また、金属平板吸熱材８ｃは、金属平板(金属枠でもよい)同士を平面上に併設または角度を有して取付け可能に、冷媒配管連結口７ｅ、及びドレンパン連結口７ｄを設けた空調装置とすることもできる。天井付近に設置するフィン付き冷媒配管４を数本で一組としてフィン付き冷媒配管４の下部に空気配管６と結露水を受けるドレンパン５ａをセットして枠７ａに収め一つの集合吸熱ユニット７とし、何台も集合吸熱ユニット７を連結可能とするためフィン付き冷媒配管連結口７ｂ、空気配管連結口７ｃ及びドレンパン連結口７ｄを集合吸熱ユニット７に設ける事で大きな建物の冷房の施工が簡単となり、またフィン付き冷媒配管４の代わりに高熱伝導率の金属平板で挟んだ高熱伝導率の冷媒配管３を金属平板吸熱材８ｃとして冷媒の入り口と出口を連結できるように配置し広さに応じた枚数を連結して吸熱手段２とする。このとき水平に設置をすると結露水が床上に落下する可能性があるので結露水の落下防止のために金属平板吸熱材８ｃの取り付けは結露水が金属面をつたって流れてくるように傾斜８ａが付くように取り付けて、金属平板吸熱材８ｃの結露水が集合する最下部にドレンパン５ａを設ける。金属平板吸熱材８ｃには、金属平板吸熱材８ｃに向かい開口部を有する空気配管６が、金属平板吸熱材８ｃの天井面または底面に設けられている。集合吸熱ユニット７、金属平板吸熱材８ｃ及び平板吸熱装置８は、開口部から吹出す空気の流量制御手段を設けるとよい。
【００２９】
注水された水槽２０に凝縮器１０ｂが収納されていることも特徴とすることができる。地下水脈Ａ２４から水槽２０への地下水供給ライン２６の地下水供給用配管２６ａ中に地下水供給用ポンプ２６ｂと、水槽２０から地下水脈Ｂ２５への地下水戻りライン２７の、地下水戻り用配管２７ａ中に地下水戻り用加圧ポンプ２７ｂが設けられている。
地下水戻りライン２７の地下水脈Ｂ２５は、地下水供給ライン２６の地下水脈Ａ２４と異なりかつ浅い位置であると冷却効率がよい。
図１にみられるように冷却機能を有した圧縮機室３０に複数組の空調装置の圧縮機１０ａ及び電気制御手段５０を収納させると場所をとらないし施工効率もよく外気温の影響や埃による故障の発生確率を下げることも出来る。
【００３０】
圧縮機１０ａ及び凝縮器１０ｂは、他機器との接続行うための接続部材を設けている。
冷媒を通す冷媒配管３にらせん状に巻きつけたフィン４ａを持つフィン付き冷媒配管４を必要に応じた本数を天井近くに必要数設置しフィン付き冷媒配管４を冷媒を介して冷却し、フィン付き冷媒配管４に密着した冷気を剥離するために必要最小限の風を、フィン４ａのすぐ近くからスリット６ａ又は小口径の穴６ｂを介して噴出させ、空気を一旦上部又は周辺に吹きつけたフィン付き冷媒配管４や金属平板吸熱材８ｃで冷却した後、冷気が自然落下による無風状態の冷房装置でフィン付き冷媒配管４を必要数まとめて施工がし易くするように一つの集合吸熱ユニット７としてフィン付き冷媒配管連結口７ｂや空気配管連結口７ｃや結露水を連結させるドレンパン連結口７ｄとを持ち、建物の大きさによって生ずる必要枚数の集合吸熱ユニット７を連結させて施工する。室内で熱交換された冷媒は一般には室外機に戻す。室外機の形態はファンを撤去して圧縮機１０ａと凝縮器１０ｂを別々にして、凝縮器１０ｂを地下又は地上に設置した水槽２０に地下水又は地上水を貯水し、水槽２０にためた水に浸かるように凝縮器１０ｂを水没させる。このとき大型施設では複数台の凝縮器１０ｂを冷却する必要があるためこれらの凝縮器１０ｂを一度に地下又は地上に設置した水槽２０内に貯水した地下水に水没させて冷やす事で高温になった冷媒を効率よく冷却することができる。
冷却する地下水は給水側の地下に埋設する地下水供給用配管２６ａと地下に戻す地下水戻り用配管２７ａの深さは汲み上げる地下水脈Ａ２４と異なる地下水脈Ｂ２５に戻す事で地下水のループが出来ることが防止できると共に、地盤沈下を防止することが出来る。
【実施例】
【００３１】
本発明の実施例を初夏に行った。２２ｍｍの銅管にフィン長１５mmのフィン４aをらせん状に１．５mにわたり巻きつけたフィン付き銅管を４本天井に取り付け下から弱い風をフィンに当て地下水を銅管に通水させて、室内の温度の変化と、風が発生するかを試した。結果を表１に示す。
【表１】
2015148439.tif 000003
30分後  室温  ２９．５度で４．５度の温度降下が見られた「図１３」参照。
【００３２】
煙による気流のテストでは地表近くでは垂直に煙が上がり天井近くでは撹拌されて散っていった事で無風状態での冷房が可能なことが確認できた。「図１４」参照。
【比較例】
【００３３】
熱伝導度が小さい２０ｍｍのステンレス金属管にステンレスフィンをらせん状に１.５mにわたり巻きつけたフィン付きステンレス金属管（エロフィンチューブ）を４本天井に取り付け下から弱い風をフィンに当て地下水をステンレス金属管に通水させて、室内の温度の変化を試した。結果を表２に示す。
【表２】
2015148439.tif 000004
室温と外気温の差が最も良い場合でも１.２度の温度降下が見られるにすぎず、冷媒を送る金属管の熱伝導度が重要な因子を持っていることが判明した。「図１５」参照。
【符号の説明】
【００３４】
１    空調対象
１ａ  仕切られた空間
１ｂ  風を好まない空間
２    吸熱手段
３    冷媒配管
３ａ  冷媒配管固定具
４    フィン付き冷媒配管
４ａ  フィン
５    結露水受け手段
５ａ  ドレンパン
５ｂ  結露防止材
５ｃ  ドレンパン固定具
６    空気配管
６ａ  スリット
６ｂ  穴
６ｃ  空気配管固定具
７    集合吸熱ユニット
７ａ  枠
７ｂ  フィン付き冷媒配管連結口
７ｃ  空気配管連結口
７ｄ  ドレンパン連結口
７ｅ  冷媒配管連結口
８    平板吸熱装置
８ａ  傾斜
８ｂ  高熱伝導率充填材
８ｃ  金属平板吸熱材
８ｄ  平板吸熱器固定具
１０  排熱手段
１０ａ  圧縮機
１０ｂ  凝縮器
１０ｃ  圧縮機室用室内機
１０ｄ  圧縮機室用圧縮機
１０ｅ  圧縮機室用凝縮器
２０  水槽
２１  地表面
２４  地下水脈Ａ
２５  地下水脈Ｂ
２６  地下水供給ライン
２６ａ  地下水供給用配管
２６ｂ  地下水供給用ポンプ
２７  地下水戻りライン
２７ａ  地下水戻り用配管
２７ｂ  地下水戻り用加圧ポンプ
３０  圧縮機室
４０  貯湯タンク
４１  三方弁
５０  電気制御手段
５１  室温検知センサー
５２  外気温検知センサー
５３  水温検知センサー
５４  信号線
【図１】
2015148439.tif 000005
【図２】
2015148439.tif 000006
【図３】
2015148439.tif 000007
【図４】
2015148439.tif 000008
【図５】
2015148439.tif 000009
【図６】
2015148439.tif 000010
【図７】
2015148439.tif 000011
【図８】
2015148439.tif 000012
【図９】
2015148439.tif 000013
【図１０】
2015148439.tif 000014
【図１１】
2015148439.tif 000015
【図１２】
2015148439.tif 000016
【図１３】
2015148439.tif 000017
【図１４】
2015148439.tif 000018
【図１５】
2015148439.tif 000019